(57)【要約】【課題】  複数の文字を割り当てられた文字入力キーに対し、ユーザが画面を見ること無しに入力文字を感知できるようにする。【解決手段】  文字入力キー１２−１〜１２−ｎには物理的に振動子１４が接続する。振動条件メモリ２４には、各文字入力キー１２−１〜１２−ｎについて、その押下回数に応じた振動条件が格納されている。何れかの文字入力キー１２−１〜１２−ｎが押下されると、ＣＰＵ１６は、押下された文字入力キーの押下回数を計数する。ＣＰＵ１６は、押下された文字入力キーの押下回数に応じた振動条件を振動条件メモリ２４から読み出し、その振動条件で振動子１４を振動させるように、駆動回路２６を制御する。【選択図】  図１
2006163748.tif 000002
【特許請求の範囲】
【請求項１】
文字入力の為にユーザが操作する文字入力キー（１２−１〜１２−ｎ）と、
当該文字入力キーを振動させ得る振動手段（１４、２６）と、
当該文字入力キー（１２−１〜１２−ｎ）に対するユーザの操作に応じて、当該ユーザの操作で入力される文字に対応する振動条件で当該振動手段（１４，２６）を振動させる制御手段（１６，２４）
とを具備することを特徴とする文字入力装置。
【請求項２】
当該振動手段が、
当該文字入力キーに物理的に接触する振動子（１４）と、
当該制御手段（１６，２４）により制御されて、当該振動子（１４）を駆動する駆動回路（２６）
とを具備することを特徴とする請求項１に記載の文字入力装置。
【請求項３】
当該制御手段が、当該文字入力キーに割り当てられている複数の入力文字のそれぞれに対する振動条件を記憶する振動条件メモリ（２４）を具備することを特徴とする請求項１又は２に記載の文字入力装置。
【請求項４】
更に、当該文字入力キーへのユーザのタッチを感知するタッチセンサ（２８−１〜２８−ｎ）を具備し、当該制御手段は、当該タッチセンサの出力に従い、所定の振動条件で当該振動手段を振動させることを特徴とする請求項１乃至３の何れか１項に記載の文字入力装置。
【請求項５】
複数の入力キー（１２−１〜１２−ｎ）と、
当該複数の入力キーのそれぞれを振動させ得る振動手段（１４、２６）と、
当該複数の入力キー（１２−１〜１２−ｎ）の何れかに対するユーザの操作に応じて、当該ユーザの操作による入力に対応する振動条件で、ユーザにより操作された入力キーを振動させる制御手段（１６，２４）
とを具備することを特徴とするキーボード。
【請求項６】
当該振動手段が、
当該複数の入力キーに物理的に接触する振動子（１４）と、
当該制御手段（２４，２６）により制御されて、当該振動子（１４）を駆動する駆動回路（２６）
とを具備することを特徴とする請求項５に記載のキーボード。
【請求項７】
更に、当該複数の入力キーのそれぞれに対してユーザのタッチを感知する複数のタッチセンサ（２８−１〜２８−ｎ）を具備し、当該制御手段は、当該タッチセンサの出力に従い、対応する入力キーを示す振動条件で当該振動手段を振動させることを特徴とする請求項５又は６に記載のキーボード。
【請求項８】
請求項１に記載の文字入力装置を具備することを特徴とする携帯情報機器。
【請求項９】
携帯電話器であることを特徴とする請求項８に記載の携帯情報機器。
【請求項１０】
請求項１に記載のキーボードを具備することを特徴とする携帯情報機器。
【請求項１１】
携帯電話器であることを特徴とする請求項１０に記載の携帯情報機器。
【発明の詳細な説明】
【技術分野】
【０００１】
本発明は、文字入力装置、キーボード及び携帯情報機器に関する。
【背景技術】
【０００２】
携帯電話のように、文字入力用に少数のキーしか用意できない携帯情報機器では、１つのキーに複数の文字を割り当て、キーが押下される毎に複数の文字の候補のうちの１つが循環的に表示される構成を採用する。なお、本明細書では、文字は、英数字、平仮名及びカタカナに限らず、各種の記号をも含む。
【発明の開示】
【発明が解決しようとする課題】
【０００３】
所望の文字を表示させるまではキーを決められた回数だけ、押下する必要があり、押下しすぎた場合には、もう一度、所望の文字が表示されるまで、そのキーを押下する必要がある。熟練すれば別であるが、通常は、画面に表示される文字を確認しながら、キーを押下することになる。しかし、画面が見にくい環境では、画面上で入力文字を確認することが難しい。
【０００４】
また、重要な操作に対して、その選択を、画面表示以外にユーザに意識させる手段があると便利である。
【０００５】
本発明は、このような要望を満たし得る文字入力装置、キーボード及び携帯情報機器を提示することを目的とする。
【課題を解決するための手段】
【０００６】
本発明に係る文字入力装置は、文字入力の為にユーザが操作する文字入力キーと、当該文字入力キーを振動させ得る振動手段と、当該文字入力キーに対するユーザの操作に応じて、当該ユーザの操作で入力される文字に対応する振動条件で当該振動手段を振動させる制御手段とを具備することを特徴とする。
【０００７】
本発明に係るキーボードは、複数の入力キーと、当該複数の入力キーのそれぞれを振動させ得る振動手段と、当該複数の入力キーの何れかに対するユーザの操作に応じて、当該ユーザの操作による入力に対応する振動条件で、ユーザにより操作された入力キーを振動させる制御手段とを具備することを特徴とする。
【０００８】
本発明に係る携帯情報機器は、上述の文字入力装置又はキーボードを具備することを特徴とする。
【発明の効果】
【０００９】
本発明によれば、文字入力キー又は入力キーの操作に応じて、相応する振動条件で当該文字入力キー又は入力キーを振動させることで、ユーザに入力内容を感知させることができる。これにより、ユーザは、例えば、画面上で視覚的に確認しなくても、入力文字又は入力内容を感知できる。即ち、画面を見ていられない環境でも、入力を感知できる。例えば、１つのキーに複数の文字が割り当てられており、操作の都度、入力文字が循環するような文字入力機構に適用することで、入力文字の確認が容易になる。また、重要な操作に対して振動を与えるようにすることで、ユーザに注意を促すことも可能になる。
【発明を実施するための最良の形態】
【００１０】
以下、図面を参照して、本発明の実施例を詳細に説明する。
【実施例１】
【００１１】
図１は、本発明の第１実施例の概略構成ブロック図を示し、図２は、図１に示す実施例の動作フローチャートを示す。
【００１２】
図１に示す携帯情報機器１０、例えば携帯電話機は、複数の文字入力キー１２−１〜１２−ｎを具備する。これらの文字入力キー１２−１〜１２−ｎは、単一の振動子１４上に設置されている。各文字入力キー１２−１〜１２−ｎには複数の文字が割り当てられている。例えば、文字入力キー１２−１にはあ行の文字、即ち、「あ」、「い」、「う」、「え」、及び「お」の５つの文字が割り当てられている。
【００１３】
ＣＰＵ１６には、本実施例の特徴である振動モードの有効／無効を設定する振動モード設定キー２０と、文字入力の確定及び図示しないメニュー操作等の決定等をＣＰＵ１６に指示する決定キー２２が接続する。
【００１４】
ＣＰＵ１６は、何れかの文字入力キー１２−１〜１２−ｎが押下されると、その回数に応じて文字を文字表示ディスプレイ１８上に表示する。例えば、文字入力キー１２−１が押下されると、ＣＰＵ１６は、文字表示ディスプレイ１８に「あ」を表示する。再び文字入力キー１２−１が押下されると、ＣＰＵ１６は、文字表示ディスプレイ１８に「い」を表示する。ＣＰＵ１６は、「お」の次には文字表示ディスプレイ１８に再び「あ」を表示する。他のキーに切り替わったとき、又は、決定キー２２が押下されたときに、表示されていた文字が、確定的に携帯情報機器１０に入力される。
【００１５】
ＣＰＵ１６には更に振動条件メモリ２４が接続する。振動条件メモリ２４には、各文字入力キー１２−１〜１−ｎについて、その押下回数毎の振動条件が格納されている。即ち、文字入力キー１２−１〜１２−ｎで入力される各文字に対する振動条件が、振動条件メモリ２４に格納されている。振動条件は、例えば、振動パターン、振動パルス数、振動強度、振動持続時間、振動周波数、又はこれらの組み合わせからなる。
【００１６】
振動モードでは、詳細は後述するが、ＣＰＵ１６は、押下された文字入力キー１２−１〜１２−ｎの連続した押下回数に応じた振動条件を振動条件メモリ２４から読み出し、読み出した振動条件に従って振動子１４を振動させるように駆動回路２６を制御する。これにより、ユーザは、文字入力キーを押下する度に、その時点で入力されている文字を、特定の振動により指先で感知できる。文字表示ディスプレイ１８の画面上で入力文字を確認しなくてもよくなる。
【００１７】
本実施例では、省略してあるが、文字入力キー１２−１〜１２−ｎ、振動モード設定キー２０及び決定キー２２と、ＣＰＵ１６との間には、文字入力キー１２−１〜１２−ｎ、振動モード設定キー２０及び決定キー２２のキー操作をＣＰＵ１６にシリアルに伝送するキーボードインターフェースが配置されることがある。
【００１８】
図２を参照して、本実施例の動作を詳細に説明する。本実施例では、押下されたキーを特定する変数Ｋｅｙ＿ｎ、同じキーの連続押下数を計数する変数Ｋｅｙ＿ｃｏｕｎｔ、直前に押下されたキーを特定する変数Ｐｒｅ＿ｋｅｙ＿ｎ，振動モードか否かを示す振動モードフラグＶ＿ｆｌａｇが使用される。
【００１９】
先ず、キーパラメータＫｅｙ＿ｎ，Ｋｅｙ＿ｃｏｕｎｔ，Ｐｒｅ＿ｋｅｙ＿ｎを０で初期化する（Ｓ１）。振動モードフラグＶ＿ｆｌａｇは、振動モード設定キー２０が押されるたびに、”０”から”１”の間で切り替わる。振動モードでは、振動モードフラグＶ＿ｆｌａｇ＝１であり、非振動モードでは、振動モードフラグＶ＿ｆｌａｇ＝０である。
【００２０】
何れかのキーの押下を感知すると（Ｓ２）、ＣＰＵ１６は、押下されたのが文字入力キー１２−１〜１２−ｎか否かを調べる（Ｓ３）。文字入力キー１２−１〜１２−ｎでない場合、例えば、振動モード設定キー２０、決定キー２２及び図示しないその他のキーである場合には、それぞれのキーに割り当てられた処理を実行して（Ｓ４）、次のキー入力を待つ（Ｓ２）。例えば、押下されたキーが振動モード設定キー２０である場合、ステップＳ４では、振動モードフラグを反転する。
【００２１】
文字入力キー１２−１〜１２−ｎの何れかが押下された場合（Ｓ３）、押下された文字入力キーを示す番号をキー変数Ｋｅｙ＿ｎにセットする（Ｓ５）。そしてキー変数Ｋｅｙ＿ｎと直前キー変数Ｐｒｅ＿ｋｅｙ＿ｎが等しいかどうかを調べる（Ｓ６）。これにより、同じ文字入力キーが続けて押下されたかどうかが分かる。
【００２２】
キー変数Ｋｅｙ＿ｎと直前キー変数Ｐｒｅ＿ｋｅｙ＿ｎが等しい場合（Ｓ６）、押下数カウンタＫｅｙ＿ｃｏｕｎｔをインクリメントする（Ｓ７）。インクリメント後の押下数カウンタＫｅｙ＿ｃｏｕｎｔが所定の最大値を超えた場合には、カウンタＫｅｙ＿ｃｏｕｎｔに０にセットする（Ｓ７）。この最大値は、各文字入力キーに割り当てられている文字数により決定される。
【００２３】
キー変数Ｋｅｙ＿ｎと直前キー変数Ｐｒｅ＿ｋｅｙ＿ｎが等しくない場合（Ｓ６）、直前とは異なる文字入力キーが押下されたことになるので、直前キー変数Ｐｒｅ＿ｋｅｙ＿ｎをキー変数Ｋｅｙ＿ｎで更新し、押下数カウンタＫｅｙ＿ｃｏｕｎｔに０をセットする（Ｓ８）。必要により、直前の入力文字が確定する。
【００２４】
ステップＳ７又はＳ８の後、ＣＰＵ１６は、キー変数Ｋｅｙ＿ｎの文字入力キーに対して押下数カウンタＫｅｙ＿ｃｏｕｎｔ目に割り当てられている文字を文字表示ディスプレイ１８に表示する（Ｓ９）。そして、振動モードフラグが立っている、即ち振動モードフラグＶ＿ｆｌａｇが”１”である場合（Ｓ１０）、ＣＰＵ１６は、表示したキーに対する振動条件を振動条件メモリ２４から読み出し、その振動条件で振動子１４を振動させるように駆動回路２６を制御する（Ｓ１１）。振動モードフラグＶ＿ｆｌａｇが”０”である場合には、振動子１４を振動させない。
【００２５】
説明の都合上、文字入力キーの１又は２回以上の押下により指定される文字を表示した後に、振動子１４を振動させるとしたが、勿論、文字表示を振動を同時に行なってもよいことは明らかであり、振動の後に文字を表示しても良い。ユーザが実質的に同時に文字表示と振動を認識できればよい。
【００２６】
振動子１４は、ユーザが押下した文字入力キーのみを振動させても、全文字入力キーを振動させても、どちらでもよい。前者の場合，各文字入力キーに振動子を配置してもよい。実際には、ユーザの指は、一般的には、押下した文字入力キー以外の文字入力キー上には位置しないことから、後者のように全文字入力キーを振動させても、支障ない。勿論、押下された文字入力キーのみを振動させた方が、電力消費の点からも効率的である。電力消費及び操作感の観点で問題が無ければ、振動子１４は、携帯情報機器１０の全体、即ち、携帯情報機器１０の筐体を指定の振動条件で振動させても良い。
【００２７】
文字入力キー１２−１〜１２−ｎには、いわゆるメンブレンスイッチが使用されうる。メンブレンスイッチは、メンブレンに複数の電気接点を配置し、各電気接点上に、指で押下されるキートップを配置した構成からなる。図３、図４及び図５は、１つの文字入力キーの断面構造を示す。図３は、解放状態を示す。図４は、スイッチオンにした状態を示す。図５は、スイッチオンにより振動子１４の振動がキートップに伝達される振動伝達状態を示す。図３に示す状態は、振動子１４の振動はキートップ３６に伝達されない振動非伝達状態である。
【００２８】
振動子１４の振動が伝わらないように、振動子１４から浮かして、メンブレンスイッチの接点シート３０を配置する。接点シート３０は、シート面上に複数の電気接点３２を具備する。１つの電気接点３２が１つのキーに対応する。電気接点３２を覆うように半球状のゴムキャップ３４を被せてある。ゴムキャップ３４は、電気接点３２に対面する内面に所定大きさの突起３４ａを具備する。
【００２９】
ゴムキャップ３４を押して少し潰すことの出来る円筒状のキートップ３６が、ゴムキャップ３４の上方に配置されている。キートップ３６は、永久磁石からなる円筒部３６ａと、円筒部３６ａの一端をふさぐ頂部３６ｂからなり、ユーザは、スイッチ操作の際には、頂部３６ｂに指を載せてキートップ３６を下方向に移動させる。
【００３０】
支持材３８が、振動子１４上で、キートップ３６を上下動可能に支持する。支持材３８はまた、振動子１４の振動をキートップ３６に伝達する役目を果たす。即ち、支持材３８は、部分的に接点シート３０を貫通して、振動子１４上に立ち上がる下円筒部３８ａと、キートップ３６の円筒部３６ａ部分の外周により僅かに大きな内周の上円筒部３８ｂを具備する。支持材３８の下円筒部３８ａが振動子１４の振動面に接しており、振動子１４が振動すると、支持材３８も振動する。
【００３１】
キートップ３６の円筒部３６ａの外側の所定高さ部分に、円周方向に延びる突起３６ｃを設けてあり、これに対応して、上円筒部３８ｂの上端内側には、突起３６ｃを受容する凹み３８ｃを形成してある。図３に示す解放状態では、突起３６ｃは上円筒部３８ｂより上に位置する。図４に示す、キートップ３６を押し込んだ図４に示す状態では、突起３６ｃは、凹み３８ｃの更に下側、即ち、上円筒部３８ｂの内周面に当接して上円筒部３８ｂを半径方向に押し広げる。この機構により、図３に示す解放状態では、振動子１４の振動はキートップ３６に少し伝わるか、全く伝わらないが、図４に示す状態では、振動子１４の振動が強くキートップ３６に伝わり、図５に示す状態では、振動子１４の振動が僅かにキートップ３６に伝わる。
【００３２】
上円筒部３８ｂを巻くように、上円筒部３８ｂの外側に若干の遊びを設けて、上円筒部３８ｂを巻くように電流コイル４０を配置してある。図示しない電流コイル駆動回路が、接点３２がオンになると、電流コイル４０に電流を供給し、接点３２がオフになると、電流コイル４０への電流供給を停止する。即ち、電流コイル駆動回路は、接点３２のオンに対して電流コイル４０への電流を交互にオン／オフする。また、円筒部３６ａの下端にはゴム足４２を貼り付けてある。
【００３３】
図３に示す解放状態では、突起３６ａは支持材３８の上円筒部３８ｂからも外れた位置に位置する。接点３２がオンになる程にキーヘッド３６を少し押し込んだ状態（図４）では、突起３６ｃが凹み３８ｃよりも更に下側に入り込んで、支持材３８の上円筒部３８ｂを外方向に押し広げる。これにより、キートップ３６が強固に支持材３８と物理的に接触する。また、図４に示す状態では、ゴム足４２がゴムキャップ３４を押し下げ、突起３４ａが接点３２を物理的に押して、スイッチオンとなる。同時に、このスイッチオンにより、図示しない電流コイル駆動回路が、電流コイル４０に電流を印加し、その結果、電流コイル４０の電磁石作用により、永久磁石からなる円筒部３６ａが、その位置にホールド又はロックされる。
【００３４】
ユーザが、キートップ３６の押下を止めるか緩めると、ゴムキャップ３４とゴム４２の弾力によりキートップ３６が上昇しようとするが、電流コイル４０による電磁石と永久磁石からなる円筒部３６ａ間の引力により、キートップ３６はせいぜい、図５に示す位置で停止する。図５に示す位置では、突起３６ｃが凹み３８ｃに入り込み、突起３６ｃが、支持材３８の上円筒部３８ｂに軽く接触する状態になる。この状態では、依然として、振動子１４の振動が支持材３８を介してキートップ３６に伝達可能であり、キートップ３６の頂部３６ｂに触る指にも伝達される。
【００３５】
再度、ユーザが、キートップ３６を押下して、接点３２をオンにすると、電流コイル駆動回路が電流コイル４０への電流印加を停止する。これにより、電流コイル４０の電磁力が消失する。これにより、ユーザがキートップ３６から指を放したとき、ゴムキャップ３４及びゴム足４２の弾力により、キートップ３６は図３に示す状態に復帰する。決定キー、クリアーキー又は別のキーの操作により、ＣＰＵ１６は、電流コイル４０の電磁力をオフにして、キートップ３６のロック状態を解除する。また、ユーザがキートップ３６を再度押下して指を放しても、図５に示すロック状態を継続したまま振動条件を継続又は変更する場合、ＣＰＵ１６は、電流コイル４０への電流印加を継続し、電流コイル４０の電磁力を継続する。
【００３６】
本実施例の機能は、フルキーボードであっても、ローマ字入力モード、カタカナ入力モード、平仮名入力モード及び半角入力モードなどの入力モードの相違により、文字入力キーによる入力文字が異なる場合にも、適用可能である。即ち、ユーザは、現在の入力モードをキートップの振動により即座に感知できる。
【実施例２】
【００３７】
図６は、図１に示す実施例の各文字入力キー１２−１〜１２−ｎのタッチ面にタッチセンサ２８−１〜２８−ｎを配置した実施例の概略構成ブロック図を示す。この実施例１０ａでは、ユーザの指が何れかの文字入力キー１２−１〜１２−ｎに軽く触れると、それをタッチセンサ２８−１〜２８−ｎが感知する。触覚を感知したタッチセンサ２８−１〜２８−ｎは、そのことをＣＰＵ１６ａに伝達する。ＣＰＵ１６ａは、ユーザの指が触れた文字入力キーに固有の振動条件で振動子１４を振動させるように、駆動回路２６を制御する。振動条件メモリ２４ａには、振動条件メモリ２４に格納されている振動条件に加えて、各文字入力キー１２−１〜１２−ｎに固有の振動条件も格納されている。これにより、実際の文字入力前に、ユーザは、どの文字入力キーにタッチしたかを振動により感知できる。
【００３８】
正しい文字入力キーであることを振動で確認した後に、図１に示す実施例で説明したように、その文字入力キーを所望回数だけ押下して、所望の文字を入力する。文字入力キーの各押下に対する振動子１４の振動の制御は、図１に示す実施例と同じである。タッチ程度でも、振動子１４の振動が、タッチされた文字入力キーに伝わるように、突起３６ｃと溝３８ｃの位置を調整しておく。
【実施例３】
【００３９】
本発明はまた、複数の選択肢の内の１つを選択する場合、どの選択肢を実際に選択したかをユーザに振動で通知することにも適用可能である。図７は、そのような実施例の概略構成ブロック図を示し、図８は、図７に示す実施例の動作フローチャートを示す。
【００４０】
図１に示す携帯情報機器１１０、例えば携帯電話機は、複数の文字入力キー１１２−１〜１１２−ｎ、振動子１１４、ＣＰＵ１１６、文字表示ディスプレイ１１８、振動モード設定キー１２０、決定キー１２２、振動条件メモリ１２４及び駆動回路１２６を具備し、これらは、図１に示す実施例の、文字入力キー１２−１〜１２−ｎ、振動子１４，ＣＰＵ１６，文字表示ディスプレイ１８、振動モード設定キー２０、決定キー２２、振動条件メモリ２４及び駆動回路２６の機能と同じ機能を具備する。
【００４１】
本実施例の携帯情報機器１１０は更に、ＣＰＵ１１６上で動作するアプリケーションにより提示される選択肢に対する選択を支持する選択キー１２９を具備する。選択キー１２９も、文字入力キー１１２−１〜１１２−ｎと同様に、振動子１１４上に載置されている。文字入力キー１１２−１〜１１２−ｎの何れかを選択キー１２９として使用することもある。振動条件メモリ１２４には、選択キー１２９の操作に対する振動条件が格納されている。
【００４２】
図８を参照して、本実施例に特徴的な動作を説明する。前提として、振動モード設定キー１２０により振動モードが設定されているとする。
【００４３】
ＣＰＵ１１６は、ＣＰＵ１１６上で動作するプリケーションソフトウエアに従い、文字表示ディスプレイ１１８の画面上に「はい／いいえ」等の、択一的な選択肢を表示する（Ｓ１１）。ユーザは、表示された選択肢に対して選択キー１２９で所望のものを選択する（Ｓ１２）。ＣＰＵ１１６は、選択キー１２９の操作を検知すると、選択キー１２９に割り当てられた振動条件を振動条件メモリ１２４から読み出し、その振動条件で振動子１１４を振動するように駆動回路１２６を制御する（Ｓ１３）。この結果、選択キー１２９上のユーザの指に特定の振動が伝わり、ユーザは、選択の入力行為を触覚により認識できる。
【００４４】
ＣＰＵ１１６は、ユーザの選択を確認するダイアローグ、例えば選択結果を示すダイアローグを文字表示ディスプレイ１１８の画面上に表示する（Ｓ１４）。ユーザは、選択結果が正しければ、決定キー１２２を操作し、そうでなければ、決定キー１２２以外のキーを操作する。決定キー１２２が操作されたら（Ｓ１５）、ＣＰＵ１１６は、ユーザの選択を確定して、終了する（Ｓ１６）、決定キー１２２以外のキーが操作されたら（Ｓ１５）、Ｓ１１に戻る。
【００４５】
なお、選択キー以外のキー操作の場合には（Ｓ１２）、終了する。その場合、勿論、ＣＰＵ１１６は、図８に示す処理の終了後に、操作されたキーに応じて処理を実行してもよい。
【００４６】
本実施例のこの機能は、例えば、重要な決定に対してユーザに再度確認を求める場合に特に有効である。重要な決定には例えば、メール送信及び重要データ（プライバシーに関するデータ等）の送信等がある。
【００４７】
理解を容易にするために、選択キー１２９と決定キー１２２を別に図示してあるが、物理的には同じキーを、状況に応じて選択キー１２９又は決定キー１２２として使用してもよい。単一のキーに状況に応じて異なる機能を割り当てる利用法は、周知である。
【実施例４】
【００４８】
上記各実施例では、単一の振動子を複数の文字入力キーで兼用したが、各文字入力キーに１つの振動子を組み込んでも良い。そのような構成では、例えば、実際のキー操作の前に、振動によりユーザのキー操作を誘導することができる。
【００４９】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００５０】
【図１】本発明の第１実施例の概略構成ブロック図である。
【図２】第１実施例の動作フローチャートである。
【図３】解放状態の文字入力キーの断面図である。
【図４】オン状態の文字入力キーの断面図である。
【図５】振動伝達状態又はキートップロック状態の文字入力キーの断面図である。
【図６】第２実施例の概略構成ブロック図である。
【図７】第３実施例の概略構成ブロック図である。
【図８】第３実施例の動作フローチャートである。
【符号の説明】
【００５１】
１０，１０ａ：携帯情報機器
１２−１〜１２−ｎ：文字入力キー
１４：振動子
１６，１６ａ：ＣＰＵ
１８：文字表示ディスプレイ
２０：振動モード設定キー
２２：決定キー
２４，２４ａ：振動条件メモリ
２６：駆動回路
２８−１〜２８−ｎ：タッチセンサ
３０：接点シート
３２：電気接点
３４：ゴムキャップ
３４ａ：突起
３６：キートップ
３６ａ：円筒軸
３６ｂ：頂部
３６ｃ：突起
３８：支持材
３８ａ：下円筒部
３８ｂ：上円筒部
３８ｃ：凹み
４０：電流コイル
４２：ゴム足
１１０：携帯情報機器
１１２−１〜１１２−ｎ：文字入力キー
１１４：振動子
１１６：ＣＰＵ
１１８：文字表示ディスプレイ
１２０：振動モード設定キー
１２２：決定キー
１２４：振動条件メモリ
１２６：駆動回路
１２９：選択キー
【図１】
2006163748.tif 000003
【図２】
2006163748.tif 000004
【図３】
2006163748.tif 000005
【図４】
2006163748.tif 000006
【図５】
2006163748.tif 000007
【図６】
2006163748.tif 000008
【図７】
2006163748.tif 000009
【図８】
2006163748.tif 000010